(57)【要約】【課題】長年の使用すなわち多数回の開閉操作によっても、小キャップを確実に保持することができる飲料ボトルの蓋を提供する。【解決手段】吐出小筒部４を鉛直状に上方へ突出した蓋本体１と、蓋本体１の外周端縁６の一部に、水平軸心廻りに揺動自在として基部５が枢着されたアーム部材２と、アーム部材２の先端７に連設された保持円環部８に、回転可能かつ首振り可能として遊嵌状に保持された小キャップ３と、を備える。蓋本体１の鉛直状の吐出小筒部４に対して、小キャップ３が、アーム部材２の下方への揺動に伴って円弧状軌跡をもって接近する際に、保持円環部８内で首振りして小キャップ軸心Ｌ3 が吐出小筒部４の鉛直状軸心Ｌ4 に一致して、嵌合するように構成する。【選択図】図１
2019196197.tif 000002
【特許請求の範囲】
【請求項１】
吐出小筒部（４）を鉛直状に上方へ突出した蓋本体（１）と、
該蓋本体（１）の外周端縁（６）の一部に、水平軸心廻りに揺動自在として基部（５）が枢着されたアーム部材（２）と、
該アーム部材（２）の先端（７）に連設された保持円環部（８）に、回転可能かつ首振り可能として遊嵌状に保持された小キャップ（３）と、を備え、
上記蓋本体（１）の鉛直状の上記吐出小筒部（４）に対して、上記小キャップ（３）が、上記アーム部材（２）の下方への揺動に伴って円弧状軌跡をもって接近する際に、上記保持円環部（８）内で首振りして小キャップ軸心（Ｌ3 ）が上記吐出小筒部（４）の鉛直状軸心（Ｌ4 ）に一致して、嵌合するように構成したことを特徴とする飲料ボトルの蓋。
【請求項２】
飲料ボトル（Ｂ）全体を持ち上げる取っ手輪（９）の基部（10）を上記蓋本体（１）に枢着し、しかも、上記アーム部材（２）の基部（５）を上記蓋本体（１）に枢着する枢着軸（11）を共用して、上記取っ手輪（９）の基部（10）が枢着されている請求項１記載の飲料ボトルの蓋。
【請求項３】
上記小キャップ（３）の天井壁（12）の下面（13）には、雄ネジ（14）付の突部（15）が一体状に設けられ、かつ、上記吐出小筒部（４）の孔内周面（16）には 360°未満の雌ネジ用突条（17）が一体状に形成されている請求項１又は２記載の飲料ボトルの蓋。
【請求項４】
上記小キャップ（３）の天井壁（12）の下面（13）に密接するように、平ワッシャ形状の弾性パッキン（18）が、付設され、かつ、該パッキン（18）の円周外縁（19）から下方へ延伸状のパッキン洗浄取外しのための引出突片（20）が、連設されている請求項１，２又は３記載の飲料ボトルの蓋。
【発明の詳細な説明】
【技術分野】
【０００１】
本発明は、飲料ボトルの蓋に関する。
【背景技術】
【０００２】
従来、飲料ボトルの蓋が、吐出小筒部を有し、該吐出小筒部を施蓋するための小キャップを具備するものとして、小キャップの紛失防止のために、小キャップを蓋本体にストラップにて連結したものが公知である（例えば、特許文献１参照）。
【先行技術文献】
【特許文献】
【０００３】
【特許文献１】特開２００８−１２０４５６号公報
【発明の概要】
【発明が解決しようとする課題】
【０００４】
特許文献１記載の飲料ボトルの蓋は、小キャップを蓋本体に連結するストラップが、長年の使用すなわち多数回の開閉操作により劣化して破断（切離）するという欠点がある。
そこで、本発明は、長年の使用すなわち多数回の開閉操作によっても、小キャップと蓋本体との連結部が破断せず、小キャップを確実に保持することができる飲料ボトルの蓋を提供することを目的とする。
【課題を解決するための手段】
【０００５】
そこで、本発明に係る飲料ボトルの蓋は、吐出小筒部を鉛直状に上方へ突出した蓋本体と、該蓋本体の外周端縁の一部に、水平軸心廻りに揺動自在として基部が枢着されたアーム部材と、該アーム部材の先端に連設された保持円環部に、回転可能かつ首振り可能として遊嵌状に保持された小キャップと、を備え、上記蓋本体の鉛直状の上記吐出小筒部に対して、上記小キャップが、上記アーム部材の下方への揺動に伴って円弧状軌跡をもって接近する際に、上記保持円環部内で首振りして小キャップ軸心が上記吐出小筒部の鉛直状軸心に一致して、嵌合するように構成したものである。
【０００６】
また、飲料ボトル全体を持ち上げる取っ手輪の基部を上記蓋本体に枢着し、しかも、上記アーム部材の基部を上記蓋本体に枢着する枢着軸を共用して、上記取っ手輪の基部が枢着されているものである。
また、上記小キャップの天井壁の下面には、雄ネジ付の突部が一体に設けられ、かつ、上記吐出小筒部の孔内周面には 360°未満の雌ネジ用突条が一体状に形成されているものである。
また、上記小キャップの天井壁の下面に密接するように、平ワッシャ形状の弾性パッキンが、付設され、かつ、該パッキンの円周外縁から下方へ延伸状のパッキン洗浄取外しのための引出突片が、連設されているものである。
【発明の効果】
【０００７】
本発明の飲料ボトルの蓋によれば、長年の使用すなわち多数回の開閉操作によっても、小キャップと蓋本体との連結部（アーム部材）が破断せず、小キャップを確実に保持することができる。また、小キャップが回転自在なので、小キャップを蓋本体の吐出小筒部に螺着する構成とすることができる。
【図面の簡単な説明】
【０００８】
【図１】本発明の第１の実施の形態の使用状態を示す正面断面図である。
【図２】要部拡大断面図である。
【図３】斜視図である。
【図４】弾性パッキンを示す斜視図である。
【図５】第１の実施の形態の作用説明図である。
【図６】作用説明図である。
【図７】作用説明図である。
【図８】作用説明図である。
【図９】作用説明図である。
【図１０】作用説明図である。
【図１１】第２の実施の形態を示す要部拡大断面図である。
【図１２】作用説明図である。
【発明を実施するための形態】
【０００９】
以下、図示の実施の形態に基づいて本発明を詳説する。
図１・図２は、本発明の第１の実施の形態の使用状態を示す。図３は、本発明の第１の実施の形態を示す。図１〜図３に示すように、本発明の飲料ボトルの蓋は、ボトル本体Ｂ0 に取着自在に螺着される蓋本体１と、アーム部材２と、小キャップ３と、を備える。
【００１０】
蓋本体１に於て、吐出小筒部４が鉛直状に上方へ突出される。アーム部材２の基部５が、蓋本体１の外周端縁６の一部に、水平軸心廻りに揺動自在として枢着される。小キャップ３が、アーム部材２の先端７に連設された保持円環部８に、回転可能かつ首振り可能として遊嵌状に保持される。具体的には、小キャップ３が横断面矩形状外周溝22（22ａ）を有し、保持円環部８が、外周溝22に常時差込状の抜止突条23を有する。蓋本体１の鉛直状の吐出小筒部４に対して、小キャップ３が、アーム部材２の下方への揺動に伴って円弧状軌跡をもって接近する際に、保持円環部８内で首振りして小キャップ軸心Ｌ3 が吐出小筒部４の鉛直状軸心Ｌ4 に一致して、嵌合するように構成する。
【００１１】
飲料ボトルＢ全体を持ち上げる取っ手輪９の基部10を蓋本体１に枢着し、しかも、アーム部材２の基部５を蓋本体１に枢着する枢着軸11を共用して、取っ手輪９の基部10が枢着されている。
【００１２】
小キャップ３の天井壁12の下面13には、雄ネジ14付の突部15が一体状に設けられ、かつ、吐出小筒部４の孔内周面16には 360°未満の雌ネジ用突条17が一体状に形成されている。吐出小筒部４に形成される雌ネジ用突条17が 360°未満なので、（図示省略の）上型と下型にて吐出小筒部４を射出成型後、型抜きを容易に行うことができる。
【００１３】
小キャップ３の天井壁12の下面13に密接するように、平ワッシャ形状の弾性パッキン18（図４参照）が、付設され、かつ、パッキン18の円周外縁19から下方へ延伸状のパッキン洗浄取外しのための引出突片20が、連設されている。引出突片20の中央部に小孔21が貫設されている。例えば、小孔21に、（図示省略の）折曲り棒を引掛けて、パッキン18に取出力を付与し、パッキン18を小キャップ３から分離して取出すことにより、パッキン18を容易に洗浄することができる。
【００１４】
次に、図５〜図10を用いて、本発明の飲料ボトルの蓋に於ける小キャップ３の首振り作用及び開閉について説明する。
図５は、小キャップ３が吐出小筒部４と離間している状態を示す。この状態から、アーム部材２を下方へ揺動させると、小キャップ３が、保持円環部８に動きを制限されて、円弧状軌跡をもって吐出小筒部４に接近する。その後、図６に示すように、突部15が吐出小筒部４に当接する。
【００１５】
さらにアーム部材２を下方へ揺動させようとすると、図７及び図８に示すように、小キャップ３が保持円環部８内で首振りして、吐出小筒部４に摺接しながら、吐出小筒部４を乗り越える。そして、図９に示すように、小キャップ軸心Ｌ3 が吐出小筒部４の鉛直状軸心Ｌ4 に一致して、嵌合する。その後、小キャップ３を回転させることにより、雄ネジ14が雌ネジ用突条17に螺進して、図10に示すように、螺合する。
【００１６】
図11・図12は、第２の実施の形態を示す。小キャップ３が横断面半円状外周溝22（22ｂ）を有し、保持円環部８が、外周溝22に常時差込状の抜止突条23を有する。その他の構成は、第１の実施の形態と同様である。
【００１７】
なお、本発明は、設計変更可能であって、例えば、取っ手輪９を、アーム部材２の蓋本体１への枢着軸11と異なる枢着軸によって、蓋本体１に枢着するも良い。
【００１８】
以上のように、本発明は、吐出小筒部４を鉛直状に上方へ突出した蓋本体１と、該蓋本体１の外周端縁６の一部に、水平軸心廻りに揺動自在として基部５が枢着されたアーム部材２と、該アーム部材２の先端７に連設された保持円環部８に、回転可能かつ首振り可能として遊嵌状に保持された小キャップ３と、を備え、上記蓋本体１の鉛直状の上記吐出小筒部４に対して、上記小キャップ３が、上記アーム部材２の下方への揺動に伴って円弧状軌跡をもって接近する際に、上記保持円環部８内で首振りして小キャップ軸心Ｌ3 が上記吐出小筒部４の鉛直状軸心Ｌ4 に一致して、嵌合するように構成したので、長年の使用すなわち多数回の開閉操作によっても、小キャップ３と蓋本体１との連結部であるアーム部材２が破断せず、小キャップ３を確実に保持することができる。また、小キャップ３が首振り自在なので、小キャップ３が吐出小筒部４に円弧状軌跡をもって接近する際、小キャップ３が小さくても吐出小筒部４に嵌合することができる。また、小キャップ３を蓋本体１の吐出小筒部４に螺着する構成とすることができる。
【００１９】
また、飲料ボトルＢ全体を持ち上げる取っ手輪９の基部10を上記蓋本体１に枢着し、しかも、上記アーム部材２の基部５を上記蓋本体１に枢着する枢着軸11を共用して、上記取っ手輪９の基部10が枢着されているので、組付が一本の枢着軸11にて簡単に行われ、かつ、全体が簡易な構成となり、コンパクトな蓋とすることができる。
【００２０】
また、上記小キャップ３の天井壁12の下面13には、雄ネジ14付の突部15が一体状に設けられ、かつ、上記吐出小筒部４の孔内周面16には 360°未満の雌ネジ用突条17が一体状に形成されているので、射出成型後に、吐出小筒部４の孔内周面16を形成する中子を容易に抜くことができる。即ち、螺旋運動しつつ中子を抜く必要がなくなる。
【００２１】
また、上記小キャップ３の天井壁12の下面13に密接するように、平ワッシャ形状の弾性パッキン18が、付設され、かつ、該パッキン18の円周外縁19から下方へ延伸状のパッキン洗浄取外しのための引出突片20が、連設されているので、パッキン18を小キャップ３から分離して取出すことにより、パッキン18を容易に洗浄することができる。
【符号の説明】
【００２２】
１  蓋本体
２  アーム部材
３  小キャップ
４  吐出小筒部
５  基部
６  外周端縁
７  先端
８  保持円環部
９  取っ手輪
10  基部
11  枢着軸
12  天井壁
13  下面
14  雄ネジ
15  突部
16  孔内周面
17  雌ネジ用突条
18  （弾性）パッキン
19  円周外縁
20  引出突片
Ｂ  飲料ボトル
Ｌ3   小キャップ軸心
Ｌ4   鉛直状軸心
【図１】
2019196197.tif 000003
【図２】
2019196197.tif 000004
【図３】
2019196197.tif 000005
【図４】
2019196197.tif 000006
【図５】
2019196197.tif 000007
【図６】
2019196197.tif 000008
【図７】
2019196197.tif 000009
【図８】
2019196197.tif 000010
【図９】
2019196197.tif 000011
【図１０】
2019196197.tif 000012
【図１１】
2019196197.tif 000013
【図１２】
2019196197.tif 000014
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
吐出小筒部（４）を鉛直状に上方へ突出した蓋本体（１）と、
該蓋本体（１）の外周端縁（６）の一部に、水平軸心廻りに揺動自在として基部（５）が枢着されたアーム部材（２）と、
該アーム部材（２）の先端（７）に連設された保持円環部（８）に保持された小キャップ（３）と、を備え、
上記小キャップ（３）が外周溝（22）を有し、上記保持円環部（８）が、上記外周溝（22）に常時差込状の抜止突条（23）を有し、該抜止突条（23）の肉厚寸法が上記外周溝（22）の上下方向の溝幅寸法よりも十分小さく設定され、上記小キャップ（３）が、上記保持円環部（８）に、回転可能かつ首振り可能として遊嵌状に保持されたことを特徴とする飲料ボトルの蓋。
【請求項２】
飲料ボトル（Ｂ）全体を持ち上げる取っ手輪（９）の基部（10）を上記蓋本体（１）に枢着し、しかも、上記アーム部材（２）の基部（５）を上記蓋本体（１）に枢着する枢着軸（11）を共用して、上記取っ手輪（９）の基部（10）が枢着されている請求項１記載の飲料ボトルの蓋。
【手続補正２】
【補正対象書類名】明細書
【補正対象項目名】全文
【補正方法】変更
【補正の内容】
【発明の詳細な説明】
【技術分野】
【０００１】
本発明は、飲料ボトルの蓋に関する。
【背景技術】
【０００２】
従来、飲料ボトルの蓋が、吐出小筒部を有し、該吐出小筒部を施蓋するための小キャップを具備するものとして、小キャップの紛失防止のために、小キャップを蓋本体にストラップにて連結したものが公知である（例えば、特許文献１参照）。
【先行技術文献】
【特許文献】
【０００３】
【特許文献１】特開２００８−１２０４５６号公報
【発明の概要】
【発明が解決しようとする課題】
【０００４】
特許文献１記載の飲料ボトルの蓋は、小キャップを蓋本体に連結するストラップが、長年の使用すなわち多数回の開閉操作により劣化して破断（切離）するという欠点がある。
そこで、本発明は、長年の使用すなわち多数回の開閉操作によっても、小キャップと蓋本体との連結部が破断せず、小キャップを確実に保持することができる飲料ボトルの蓋を提供することを目的とする。
【課題を解決するための手段】
【０００５】
そこで、本発明に係る飲料ボトルの蓋は、吐出小筒部を鉛直状に上方へ突出した蓋本体と、該蓋本体の外周端縁の一部に、水平軸心廻りに揺動自在として基部が枢着されたアーム部材と、該アーム部材の先端に連設された保持円環部に保持された小キャップと、を備え、上記小キャップが外周溝を有し、上記保持円環部が、上記外周溝に常時差込状の抜止突条を有し、該抜止突条の肉厚寸法が上記外周溝の上下方向の溝幅寸法よりも十分小さく設定され、上記小キャップが、上記保持円環部に、回転可能かつ首振り可能として遊嵌状に保持されたものである。
【０００６】
また、飲料ボトル全体を持ち上げる取っ手輪の基部を上記蓋本体に枢着し、しかも、上記アーム部材の基部を上記蓋本体に枢着する枢着軸を共用して、上記取っ手輪の基部が枢着されているものである。
【発明の効果】
【０００７】
本発明の飲料ボトルの蓋によれば、長年の使用すなわち多数回の開閉操作によっても、小キャップと蓋本体との連結部（アーム部材）が破断せず、小キャップを確実に保持することができる。また、小キャップが回転自在なので、小キャップを蓋本体の吐出小筒部に螺着する構成とすることができる。
【図面の簡単な説明】
【０００８】
【図１】本発明の第１の実施の形態の使用状態を示す正面断面図である。
【図２】要部拡大断面図である。
【図３】斜視図である。
【図４】弾性パッキンを示す斜視図である。
【図５】第１の実施の形態の作用説明図である。
【図６】作用説明図である。
【図７】作用説明図である。
【図８】作用説明図である。
【図９】作用説明図である。
【図１０】作用説明図である。
【図１１】第２の実施の形態を示す要部拡大断面図である。
【図１２】作用説明図である。
【発明を実施するための形態】
【０００９】
以下、図示の実施の形態に基づいて本発明を詳説する。
図１・図２は、本発明の第１の実施の形態の使用状態を示す。図３は、本発明の第１の実施の形態を示す。図１〜図３に示すように、本発明の飲料ボトルの蓋は、ボトル本体Ｂ0 に取着自在に螺着される蓋本体１と、アーム部材２と、小キャップ３と、を備える。
【００１０】
蓋本体１に於て、吐出小筒部４が鉛直状に上方へ突出される。アーム部材２の基部５が、蓋本体１の外周端縁６の一部に、水平軸心廻りに揺動自在として枢着される。小キャップ３が、アーム部材２の先端７に連設された保持円環部８に、回転可能かつ首振り可能として遊嵌状に保持される。具体的には、小キャップ３が横断面矩形状外周溝22（22ａ）を有し、保持円環部８が、外周溝22に常時差込状の抜止突条23を有する。蓋本体１の鉛直状の吐出小筒部４に対して、小キャップ３が、アーム部材２の下方への揺動に伴って円弧状軌跡をもって接近する際に、保持円環部８内で首振りして小キャップ軸心Ｌ3 が吐出小筒部４の鉛直状軸心Ｌ4 に一致して、嵌合するように構成する。
【００１１】
飲料ボトルＢ全体を持ち上げる取っ手輪９の基部10を蓋本体１に枢着し、しかも、アーム部材２の基部５を蓋本体１に枢着する枢着軸11を共用して、取っ手輪９の基部10が枢着されている。
【００１２】
小キャップ３の天井壁12の下面13には、雄ネジ14付の突部15が一体状に設けられ、かつ、吐出小筒部４の孔内周面16には 360°未満の雌ネジ用突条17が一体状に形成されている。吐出小筒部４に形成される雌ネジ用突条17が 360°未満なので、（図示省略の）上型と下型にて吐出小筒部４を射出成型後、型抜きを容易に行うことができる。
【００１３】
小キャップ３の天井壁12の下面13に密接するように、平ワッシャ形状の弾性パッキン18（図４参照）が、付設され、かつ、パッキン18の円周外縁19から下方へ延伸状のパッキン洗浄取外しのための引出突片20が、連設されている。引出突片20の中央部に小孔21が貫設されている。例えば、小孔21に、（図示省略の）折曲り棒を引掛けて、パッキン18に取出力を付与し、パッキン18を小キャップ３から分離して取出すことにより、パッキン18を容易に洗浄することができる。
【００１４】
次に、図５〜図10を用いて、本発明の飲料ボトルの蓋に於ける小キャップ３の首振り作用及び開閉について説明する。
図５は、小キャップ３が吐出小筒部４と離間している状態を示す。この状態から、アーム部材２を下方へ揺動させると、小キャップ３が、保持円環部８に動きを制限されて、円弧状軌跡をもって吐出小筒部４に接近する。その後、図６に示すように、突部15が吐出小筒部４に当接する。
【００１５】
さらにアーム部材２を下方へ揺動させようとすると、図７及び図８に示すように、小キャップ３が保持円環部８内で首振りして、吐出小筒部４に摺接しながら、吐出小筒部４を乗り越える。そして、図９に示すように、小キャップ軸心Ｌ3 が吐出小筒部４の鉛直状軸心Ｌ4 に一致して、嵌合する。その後、小キャップ３を回転させることにより、雄ネジ14が雌ネジ用突条17に螺進して、図10に示すように、螺合する。
【００１６】
図11・図12は、第２の実施の形態を示す。小キャップ３が横断面半円状外周溝22（22ｂ）を有し、保持円環部８が、外周溝22に常時差込状の抜止突条23を有する。その他の構成は、第１の実施の形態と同様である。
【００１７】
なお、本発明は、設計変更可能であって、例えば、取っ手輪９を、アーム部材２の蓋本体１への枢着軸11と異なる枢着軸によって、蓋本体１に枢着するも良い。
【００１８】
以上のように、本発明は、吐出小筒部４を鉛直状に上方へ突出した蓋本体１と、該蓋本体１の外周端縁６の一部に、水平軸心廻りに揺動自在として基部５が枢着されたアーム部材２と、該アーム部材２の先端７に連設された保持円環部８に、回転可能かつ首振り可能として遊嵌状に保持された小キャップ３と、を備え、上記蓋本体１の鉛直状の上記吐出小筒部４に対して、上記小キャップ３が、上記アーム部材２の下方への揺動に伴って円弧状軌跡をもって接近する際に、上記保持円環部８内で首振りして小キャップ軸心Ｌ3 が上記吐出小筒部４の鉛直状軸心Ｌ4 に一致して、嵌合するように構成したので、長年の使用すなわち多数回の開閉操作によっても、小キャップ３と蓋本体１との連結部であるアーム部材２が破断せず、小キャップ３を確実に保持することができる。また、小キャップ３が首振り自在なので、小キャップ３が吐出小筒部４に円弧状軌跡をもって接近する際、小キャップ３が小さくても吐出小筒部４に嵌合することができる。また、小キャップ３を蓋本体１の吐出小筒部４に螺着する構成とすることができる。
【００１９】
また、飲料ボトルＢ全体を持ち上げる取っ手輪９の基部10を上記蓋本体１に枢着し、しかも、上記アーム部材２の基部５を上記蓋本体１に枢着する枢着軸11を共用して、上記取っ手輪９の基部10が枢着されているので、組付が一本の枢着軸11にて簡単に行われ、かつ、全体が簡易な構成となり、コンパクトな蓋とすることができる。
【００２０】
また、上記小キャップ３の天井壁12の下面13には、雄ネジ14付の突部15が一体状に設けられ、かつ、上記吐出小筒部４の孔内周面16には 360°未満の雌ネジ用突条17が一体状に形成されているので、射出成型後に、吐出小筒部４の孔内周面16を形成する中子を容易に抜くことができる。即ち、螺旋運動しつつ中子を抜く必要がなくなる。
【００２１】
また、上記小キャップ３の天井壁12の下面13に密接するように、平ワッシャ形状の弾性パッキン18が、付設され、かつ、該パッキン18の円周外縁19から下方へ延伸状のパッキン洗浄取外しのための引出突片20が、連設されているので、パッキン18を小キャップ３から分離して取出すことにより、パッキン18を容易に洗浄することができる。
【符号の説明】
【００２２】
１  蓋本体
２  アーム部材
３  小キャップ
４  吐出小筒部
５  基部
６  外周端縁
７  先端
８  保持円環部
９  取っ手輪
10  基部
11  枢着軸
12  天井壁
13  下面
14  雄ネジ
15  突部
16  孔内周面
17  雌ネジ用突条
18  （弾性）パッキン
19  円周外縁
20  引出突片
22  外周溝
23  抜止突条
Ｂ  飲料ボトル
Ｌ3   小キャップ軸心
Ｌ4   鉛直状軸心
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
吐出小筒部（４）を鉛直状に上方へ突出した蓋本体（１）と、
該蓋本体（１）の外周端縁（６）の一部に、水平軸心廻りに揺動自在として基部（５）が枢着されたアーム部材（２）と、
該アーム部材（２）の先端（７）に連設された保持円環部（８）に保持された小キャップ（３）と、を備え、
上記小キャップ（３）が外周溝（22）を有し、上記保持円環部（８）が、上記外周溝（22）に常時差込状の抜止突条（23）を有し、該抜止突条（23）の肉厚寸法が上記外周溝（22）の上下方向の溝幅寸法よりも十分小さく設定され、上記小キャップ（３）が、上記保持円環部（８）に、回転可能かつ首振り可能として遊嵌状に保持され、
飲料ボトル（Ｂ）全体を持ち上げる取っ手輪（９）の基部（10）を上記蓋本体（１）に枢着し、しかも、上記アーム部材（２）の基部（５）を上記蓋本体（１）に枢着する枢着軸（11）を共用して、上記取っ手輪（９）の基部（10）が枢着されていることを特徴とする飲料ボトルの蓋。
【手続補正２】
【補正対象書類名】明細書
【補正対象項目名】全文
【補正方法】変更
【補正の内容】
【発明の詳細な説明】
【技術分野】
【０００１】
本発明は、飲料ボトルの蓋に関する。
【背景技術】
【０００２】
従来、飲料ボトルの蓋が、吐出小筒部を有し、該吐出小筒部を施蓋するための小キャップを具備するものとして、小キャップの紛失防止のために、小キャップを蓋本体にストラップにて連結したものが公知である（例えば、特許文献１参照）。
【先行技術文献】
【特許文献】
【０００３】
【特許文献１】特開２００８−１２０４５６号公報
【発明の概要】
【発明が解決しようとする課題】
【０００４】
特許文献１記載の飲料ボトルの蓋は、小キャップを蓋本体に連結するストラップが、長年の使用すなわち多数回の開閉操作により劣化して破断（切離）するという欠点がある。
そこで、本発明は、長年の使用すなわち多数回の開閉操作によっても、小キャップと蓋本体との連結部が破断せず、小キャップを確実に保持することができる飲料ボトルの蓋を提供することを目的とする。
【課題を解決するための手段】
【０００５】
そこで、本発明に係る飲料ボトルの蓋は、吐出小筒部を鉛直状に上方へ突出した蓋本体と、該蓋本体の外周端縁の一部に、水平軸心廻りに揺動自在として基部が枢着されたアーム部材と、該アーム部材の先端に連設された保持円環部に保持された小キャップと、を備え、上記小キャップが外周溝を有し、上記保持円環部が、上記外周溝に常時差込状の抜止突条を有し、該抜止突条の肉厚寸法が上記外周溝の上下方向の溝幅寸法よりも十分小さく設定され、上記小キャップが、上記保持円環部に、回転可能かつ首振り可能として遊嵌状に保持され、飲料ボトル全体を持ち上げる取っ手輪の基部を上記蓋本体に枢着し、しかも、上記アーム部材の基部を上記蓋本体に枢着する枢着軸を共用して、上記取っ手輪の基部が枢着されているものである。
【発明の効果】
【０００６】
本発明の飲料ボトルの蓋によれば、長年の使用すなわち多数回の開閉操作によっても、小キャップと蓋本体との連結部（アーム部材）が破断せず、小キャップを確実に保持することができる。また、小キャップが回転自在なので、小キャップを蓋本体の吐出小筒部に螺着する構成とすることができる。
【図面の簡単な説明】
【０００７】
【図１】本発明の第１の実施の形態の使用状態を示す正面断面図である。
【図２】要部拡大断面図である。
【図３】斜視図である。
【図４】弾性パッキンを示す斜視図である。
【図５】第１の実施の形態の作用説明図である。
【図６】作用説明図である。
【図７】作用説明図である。
【図８】作用説明図である。
【図９】作用説明図である。
【図１０】作用説明図である。
【図１１】第２の実施の形態を示す要部拡大断面図である。
【図１２】作用説明図である。
【発明を実施するための形態】
【０００８】
以下、図示の実施の形態に基づいて本発明を詳説する。
図１・図２は、本発明の第１の実施の形態の使用状態を示す。図３は、本発明の第１の
実施の形態を示す。図１〜図３に示すように、本発明の飲料ボトルの蓋は、ボトル本体Ｂ
0 に取着自在に螺着される蓋本体１と、アーム部材２と、小キャップ３と、を備える。
【０００９】
蓋本体１に於て、吐出小筒部４が鉛直状に上方へ突出される。アーム部材２の基部５が
、蓋本体１の外周端縁６の一部に、水平軸心廻りに揺動自在として枢着される。小キャッ
プ３が、アーム部材２の先端７に連設された保持円環部８に、回転可能かつ首振り可能と
して遊嵌状に保持される。具体的には、小キャップ３が横断面矩形状外周溝22（22ａ）を
有し、保持円環部８が、外周溝22に常時差込状の抜止突条23を有する。蓋本体１の鉛直状
の吐出小筒部４に対して、小キャップ３が、アーム部材２の下方への揺動に伴って円弧状
軌跡をもって接近する際に、保持円環部８内で首振りして小キャップ軸心Ｌ3 が吐出小筒
部４の鉛直状軸心Ｌ4 に一致して、嵌合するように構成する。
【００１０】
飲料ボトルＢ全体を持ち上げる取っ手輪９の基部10を蓋本体１に枢着し、しかも、アー
ム部材２の基部５を蓋本体１に枢着する枢着軸11を共用して、取っ手輪９の基部10が枢着
されている。
【００１１】
小キャップ３の天井壁12の下面13には、雄ネジ14付の突部15が一体状に設けられ、かつ
、吐出小筒部４の孔内周面16には 360°未満の雌ネジ用突条17が一体状に形成されている
。吐出小筒部４に形成される雌ネジ用突条17が 360°未満なので、（図示省略の）上型と
下型にて吐出小筒部４を射出成型後、型抜きを容易に行うことができる。
【００１２】
小キャップ３の天井壁12の下面13に密接するように、平ワッシャ形状の弾性パッキン18
（図４参照）が、付設され、かつ、パッキン18の円周外縁19から下方へ延伸状のパッキン
洗浄取外しのための引出突片20が、連設されている。引出突片20の中央部に小孔21が貫設
されている。例えば、小孔21に、（図示省略の）折曲り棒を引掛けて、パッキン18に取出
力を付与し、パッキン18を小キャップ３から分離して取出すことにより、パッキン18を容
易に洗浄することができる。
【００１３】
次に、図５〜図10を用いて、本発明の飲料ボトルの蓋に於ける小キャップ３の首振り作
用及び開閉について説明する。
図５は、小キャップ３が吐出小筒部４と離間している状態を示す。この状態から、アー
ム部材２を下方へ揺動させると、小キャップ３が、保持円環部８に動きを制限されて、円
弧状軌跡をもって吐出小筒部４に接近する。その後、図６に示すように、突部15が吐出小
筒部４に当接する。
【００１４】
さらにアーム部材２を下方へ揺動させようとすると、図７及び図８に示すように、小キ
ャップ３が保持円環部８内で首振りして、吐出小筒部４に摺接しながら、吐出小筒部４を
乗り越える。そして、図９に示すように、小キャップ軸心Ｌ3 が吐出小筒部４の鉛直状軸
心Ｌ4 に一致して、嵌合する。その後、小キャップ３を回転させることにより、雄ネジ14
が雌ネジ用突条17に螺進して、図10に示すように、螺合する。
【００１５】
図11・図12は、第２の実施の形態を示す。小キャップ３が横断面半円状外周溝22（22ｂ
）を有し、保持円環部８が、外周溝22に常時差込状の抜止突条23を有する。その他の構成
は、第１の実施の形態と同様である。
【００１６】
なお、本発明は、設計変更可能であって、例えば、取っ手輪９を、アーム部材２の蓋本
体１への枢着軸11と異なる枢着軸によって、蓋本体１に枢着するも良い。
【００１７】
以上のように、本発明は、吐出小筒部４を鉛直状に上方へ突出した蓋本体１と、該蓋本
体１の外周端縁６の一部に、水平軸心廻りに揺動自在として基部５が枢着されたアーム部
材２と、該アーム部材２の先端７に連設された保持円環部８に、回転可能かつ首振り可能
として遊嵌状に保持された小キャップ３と、を備え、上記蓋本体１の鉛直状の上記吐出小
筒部４に対して、上記小キャップ３が、上記アーム部材２の下方への揺動に伴って円弧状
軌跡をもって接近する際に、上記保持円環部８内で首振りして小キャップ軸心Ｌ3 が上記
吐出小筒部４の鉛直状軸心Ｌ4 に一致して、嵌合するように構成したので、長年の使用す
なわち多数回の開閉操作によっても、小キャップ３と蓋本体１との連結部であるアーム部
材２が破断せず、小キャップ３を確実に保持することができる。また、小キャップ３が首
振り自在なので、小キャップ３が吐出小筒部４に円弧状軌跡をもって接近する際、小キャ
ップ３が小さくても吐出小筒部４に嵌合することができる。また、小キャップ３を蓋本体
１の吐出小筒部４に螺着する構成とすることができる。
【００１８】
また、飲料ボトルＢ全体を持ち上げる取っ手輪９の基部10を上記蓋本体１に枢着し、し
かも、上記アーム部材２の基部５を上記蓋本体１に枢着する枢着軸11を共用して、上記取
っ手輪９の基部10が枢着されているので、組付が一本の枢着軸11にて簡単に行われ、かつ
、全体が簡易な構成となり、コンパクトな蓋とすることができる。
【００１９】
また、上記小キャップ３の天井壁12の下面13には、雄ネジ14付の突部15が一体状に設け
られ、かつ、上記吐出小筒部４の孔内周面16には 360°未満の雌ネジ用突条17が一体状に
形成されているので、射出成型後に、吐出小筒部４の孔内周面16を形成する中子を容易に
抜くことができる。即ち、螺旋運動しつつ中子を抜く必要がなくなる。
【００２０】
また、上記小キャップ３の天井壁12の下面13に密接するように、平ワッシャ形状の弾性
パッキン18が、付設され、かつ、該パッキン18の円周外縁19から下方へ延伸状のパッキン
洗浄取外しのための引出突片20が、連設されているので、パッキン18を小キャップ３から
分離して取出すことにより、パッキン18を容易に洗浄することができる。
【符号の説明】
【００２１】
１  蓋本体
２  アーム部材
３  小キャップ
４  吐出小筒部
５  基部
６  外周端縁
７  先端
８  保持円環部
９  取っ手輪
10  基部
11  枢着軸
12  天井壁
13  下面
14  雄ネジ
15  突部
16  孔内周面
17  雌ネジ用突条
18  （弾性）パッキン
19  円周外縁
20  引出突片
22  外周溝
23  抜止突条
Ｂ  飲料ボトル
Ｌ3   小キャップ軸心
Ｌ4   鉛直状軸心